(57)【特許請求の範囲】
【請求項１】
所定の処理を実行するための設定項目の設定状態を表示手段に表示させる制御手段と、
前記設定状態の変更を受け付ける受付手段と、を含み、
前記受付手段が前記設定状態の変更を受け付けた場合に、前記制御手段は、前記変更された設定状態を変更前の前記設定状態に戻すための指示を受け付ける項目を前記表示手段に表示させ、
前記制御手段は、前記表示手段に対して前記変更された設定状態が移動することにより、前記表示手段に表示されなくなると前記項目を前記表示手段に表示させる、
ことを特徴とする装置。
【請求項２】
所定の処理を実行するための設定項目の設定状態を表示手段に表示させる制御手段と、
前記設定状態の変更を受け付ける受付手段と、を含み、
前記受付手段が前記設定状態の変更を受け付けた場合に、前記制御手段は、前記変更された設定状態を変更前の前記設定状態に戻すための指示を受け付ける項目を前記表示手段に表示させ、
前記項目が表示される領域に前記変更された設定状態が表示されている領域が含まれる場合に、前記制御手段は、前記変更された設定状態が表示されている領域と、前記項目が表示される領域と、の重なりが生じないように前記設定項目の設定状態の表示位置を移動させる、
ことを特徴とする装置。
【請求項３】
前記変更された設定状態が変更前の前記設定状態に戻された場合、前記項目は消去される、
ことを特徴とする請求項１又は２に記載の装置。
【請求項４】
所定の処理を実行するための設定項目の設定状態を表示手段に表示させる制御手段、
前記設定の前記設定状態の変更を受け付ける受付手段、
としてコンピュータを機能させるためのプログラムであって、
前記受付手段により、前記設定状態を変更した場合に、前記制御手段は、前記変更された設定状態を変更前の前記設定状態に戻すための指示を受け付ける項目を前記表示手段に表示させ、
前記制御手段は、前記表示手段に対して前記変更された設定状態が移動することにより、前記表示手段に表示されなくなると前記項目を前記表示手段に表示させる、
ことを特徴とするプログラム。
【請求項５】
所定の処理を実行するための設定項目の設定状態を表示手段に表示させる制御手段、
前記設定の前記設定状態の変更を受け付ける受付手段、
としてコンピュータを機能させるためのプログラムであって、
前記受付手段により、前記設定状態を変更した場合に、前記制御手段は、前記変更された設定状態を変更前の前記設定状態に戻すための指示を受け付ける項目を前記表示手段に表示させる、
前記項目が表示される領域に前記変更された設定状態が表示されている領域が含まれる場合に、前記制御手段は、前記変更された設定状態が表示されている領域と、前記項目が表示される領域と、の重なりが生じないように前記設定項目の設定状態の表示位置を移動させる、
ことを特徴とするプログラム。
【発明の詳細な説明】
【技術分野】
【０００１】
本発明は、装置及びプログラムに関する。
【背景技術】
【０００２】
特許文献１には、コピーやファクス操作等の画像に関する処理を行う際に、処理実行時に画像を処理するための設定状態が変更されている場合に確認を促す画面表示を行うことが示されている。
【先行技術文献】
【特許文献】
【０００３】
【特許文献１】特開２０１０−１０３７２２号公報
【発明の概要】
【発明が解決しようとする課題】
【０００４】
本発明の目的の一つは、予め定められている個所に設定状態を初期状態に戻す項目が常に設定されてあり、その項目が表示手段に表示されていないときに、利用者による表示手段への操作により前記項目を表示させる場合より、初期状態に戻すための項目を表示手段に表示させるための操作数が少なくなる装置を提供することにある。
【課題を解決するための手段】
【０００５】
請求項１に記載の発明は、装置であって、所定の処理を実行するための設定項目の設定状態を表示手段に表示させる制御手段と、前記設定状態の変更を受け付ける受付手段と、を含み、前記受付手段が前記設定状態の変更を受け付けた場合に、前記制御手段は、前記変更された設定状態を変更前の前記設定状態に戻すための指示を受け付ける項目を前記表示手段に表示させ、前記制御手段は、前記表示手段に対して前記変更された設定状態が移動することにより、前記表示手段に表示されなくなると前記項目を前記表示手段に表示させる、こととしたものである。
【０００７】
請求項２に記載の発明は、装置であって、所定の処理を実行するための設定項目の設定状態を表示手段に表示させる制御手段と、前記設定状態の変更を受け付ける受付手段と、を含み、前記受付手段が前記設定状態の変更を受け付けた場合に、前記制御手段は、前記変更された設定状態を変更前の前記設定状態に戻すための指示を受け付ける項目を前記表示手段に表示させ、前記項目が表示される領域に前記変更された設定状態が表示されている領域が含まれる場合に、前記制御手段は、前記変更された設定状態が表示されている領域と、前記項目が表示される領域と、の重なりが生じないように前記設定項目の設定状態の表示位置を移動させる、こととしたものである。
【００１０】
請求項３に記載の発明は、請求項１又は２に記載の装置であって、前記変更された設定状態が変更前の前記設定状態に戻された場合、前記項目は消去される、こととしたものである。
【００１１】
請求項４に記載の発明は、所定の処理を実行するための設定項目の設定状態を表示手段に表示させる制御手段、前記設定の前記設定状態の変更を受け付ける受付手段、としてコンピュータを機能させるためのプログラムであって、前記受付手段により、前記設定状態を変更した場合に、前記制御手段は、前記変更された設定状態を変更前の前記設定状態に戻すための指示を受け付ける項目を前記表示手段に表示させ、前記制御手段は、前記表示手段に対して前記変更された設定状態が移動することにより、前記表示手段に表示されなくなると前記項目を前記表示手段に表示させる、こととしたものである。
請求項５に記載の発明は、所定の処理を実行するための設定項目の設定状態を表示手段に表示させる制御手段、前記設定の前記設定状態の変更を受け付ける受付手段、としてコンピュータを機能させるためのプログラムであって、前記受付手段により、前記設定状態を変更した場合に、前記制御手段は、前記変更された設定状態を変更前の前記設定状態に戻すための指示を受け付ける項目を前記表示手段に表示させる、前記項目が表示される領域に前記変更された設定状態が表示されている領域が含まれる場合に、前記制御手段は、前記変更された設定状態が表示されている領域と、前記項目が表示される領域と、の重なりが生じないように前記設定項目の設定状態の表示位置を移動させる、こととしたものである。
【発明の効果】
【００１２】
請求項１及び４に記載の発明によれば、予め定められている個所に設定状態を初期状態
に戻す項目が常に設定されてあり、その項目が表示手段に表示されていないときに、利用
者による表示手段への操作により前記項目を表示させる場合より、初期状態に戻すための
項目を表示手段に表示させるための操作数が少なくなり、変更された設定状態に対応する設定項目を表示手段に表示させ、その設定項目を操作することにより初期状態に戻す場合より、初期状態に戻すための操作数を削減することができる。
【００１４】
請求項２及び５に記載の発明によれば、予め定められている個所に設定状態を初期状態
に戻す項目が常に設定されてあり、その項目が表示手段に表示されていないときに、利用
者による表示手段への操作により前記項目を表示させる場合より、初期状態に戻すための
項目を表示手段に表示させるための操作数が少なくなり、変更された設定状態に対応する設定項目と、設定状態を初期状態に戻すための項目が重なっている場合より、前記設定項目の視認性がよくなる。
【００１６】
請求項３に記載の発明によれば、初期状態から変更された設定項目があることを把握することができる。
【図面の簡単な説明】
【００１７】
【図１】本実施形態にかかる画像処理装置のハードウェア構成の一例を示す図である。
【図２】本実施形態に係る画像処理装置により実現される機能の一例を示す機能ブロック図である。
【図３】設定情報の一例を示す図である。
【図４】初期設定情報の一例を示す図である。
【図５】表示部に表示される設定一覧画面の一例を示す図である。
【図６】表示部に表示される設定一覧画面の一例を示す図である。
【図７】設定状態変更部による設定情報の変更処理の一例を示す図である。
【図８】設定状態変更部による設定情報の変更処理の一例を示す図である。
【図９】表示部に設定一覧画面とともに表示されるリセットボタンの一例を示す図である。
【図１０】リセットボタンが選択されるときの設定一覧画面を示す図である。
【図１１】リセットボタンが選択されるときの設定一覧画面を示す図である。
【図１２】第１実施形態に係る画像処理装置が実行する画像処理時の設定画面表示処理の一例を示すフロー図である。
【図１３】第２実施形態に係る画像処理装置が実行する画像処理時の設定画面表示処理の一例を示すフロー図である。
【図１４】表示制御部によるリセットボタン表示処理の一例を示すフロー図である。
【図１５】第２実施形態におけるリセットボタン表示処理が実行されるときの表示部の一例を示す図である。
【図１６】第２実施形態におけるリセットボタン表示処理が実行されるときの表示部の一例を示す図である。
【図１７】第３実施形態におけるリセットボタン表示処理の一例を示すフロー図である。
【図１８】第３実施形態におけるリセットボタン表示処理が実行されるときの表示部の一例を示す図である。
【図１９】第３実施形態におけるリセットボタン表示処理が実行されるときの表示部の一例を示す図である。
【発明を実施するための形態】
【００１８】
以下、本発明の実施の形態について、図面を参照しながら説明する。以下、本実施形態では、装置の一例として画像処理装置を適用した例について説明する。
【００１９】
［第１実施形態］
本実施形態に係る画像処理装置１０は、例えば、プリント、コピー、スキャン、ファクシミリなどの機能を有する複合機であり、これらの機能によって実現可能な画像処理を実行する。図１は、本実施形態にかかる画像処理装置１０のハードウェア構成の一例を示す図である。図１に示すように、本実施形態にかかる画像処理装置１０は、制御部１１、記憶部１２、通信部１３、表示部１４、及び操作部１５を含んで構成される。これらの要素はバスを介して接続される。なお、画像処理装置１０は、コピー装置、プリンタ装置、スキャナ装置、ファクシミリ装置などであってもよい。
【００２０】
制御部１１は、例えばＣＰＵ等であって、記憶部１２に格納されるプログラムに従って各種の情報処理を実行する。
【００２１】
記憶部１２は、例えばＲＡＭやＲＯＭ等のメモリ素子、ハードディスクなどを含んで構成される。記憶部１２は、制御部１１によって実行されるプログラムや、各種のデータを保持する。また、記憶部１２は、制御部１１のワークメモリとしても動作する。
【００２２】
通信部１３は、例えばＬＡＮカード等のネットワークインタフェースであって、ＬＡＮや無線通信網などの通信手段を介して、他の情報処理装置との間で情報の送受信を行う。
【００２３】
表示部１４は、例えば液晶ディスプレイ等であって、制御部１１から出力されたデータが表示される。
【００２４】
操作部１５は、キーボード、マウス等のポインティングデバイス、タッチパッド等の入力装置や操作ボタン等のハードボタンを含み、利用者が画像処理装置１０に各種データを入力するために使用される。
【００２５】
本実施形態においては、画像処理装置１０が画像処理を実行する際に、画像処理に関する設定の設定状態を確認する画面が表示部１４に表示され、利用者に操作部１５から設定を入力させることによって設定を設定する。本実施形態においては、表示部１４と操作部１５とが一体となったタッチパネルに画像処理に関する設定の設定状態を確認する画面が表示され、利用者がタッチパネルに設定を入力することで設定を設定することとする。
【００２６】
図２は、本実施形態に係る画像処理装置１０により実現される機能の一例を示す機能ブロック図である。図２に例示するように、本実施形態に係る画像処理装置１０は、機能的には、例えば、設定記憶部１７、及び初期設定記憶部１８、操作受付部１９、表示制御部２０、及び設定状態変更部２１を含んで構成される。これらの機能のうち、は、記憶部１２に記憶されたプログラムを制御部１１が実行することにより実現されている。このプログラムは、例えば、光ディスク、磁気ディスク、磁気テープ、光磁気ディスク、フラッシュメモリ等のコンピュータ可読な情報記憶媒体を介して、あるいは、インターネットなどの通信手段を介して画像処理装置１０に供給される。また、設定記憶部１７、及び初期設定記憶部１８は、記憶部１２によって実現される。
【００２７】
設定記憶部１７は、画像を処理するための複数の設定それぞれの設定状態を示す設定情報を記憶する。図３は、設定情報の一例を示す図である。図３に例示する設定情報は、印刷に関する設定情報であり、設定項目、設定候補、及び設定フラグが関連付けられている。設定項目は、画像を形成するための設定の項目を示すものであり、例えば、“Paper Supply（用紙トレイ）”、“2-sided（両面印刷）”などである。また、設定候補は、設定項目に対して設定可能な設定状態の候補を示すものであり、例えば、“Paper Supply（用紙トレイ）”の項目に対しては、“Auto”、“Tray1”、“Tray2”の３つの設定状態の候補が関連付けられており、“2-sided（両面印刷）”の項目に対しては、“Auto”、“on”、“off”の３つの設定状態の候補が関連付けられている。そして、設定フラグは、設定項目に対して現在設定されている設定状態を示すフラグであり、例えば、設定されている設定状態に“１”、設定されていない設定状態に“０”が付与されるものとする。ここで、“Auto”とは、形成対象の画像に応じて最適な設定状態が選択されることとし、例えば、“Paper Supply（用紙トレイ）”においては、形成対象の画像の大きさに応じて“Tray1”または“Tray2”が選択されることとする。
【００２８】
初期設定記憶部１８は、画像を処理するための複数の設定それぞれの初期設定を示す初期設定情報を記憶する。図４は、初期設定情報の一例を示す図である。図４に示すように、初期設定情報は、設定項目、及び初期の設定値が関連付けられている。設定項目は、設定情報に含まれる設定項目と同一の内容である。また、初期の設定値としては、設定項目に対する設定状態の候補のうち初期設定として設定される１つが関連付けられ、例えば、“Paper Supply（用紙トレイ）”の項目に対する初期の設定値としては“Auto”が、“2-sided（両面印刷）”の項目に対する初期の設定値としては“Auto”が関連付けられることとする。
【００２９】
操作受付部１９は、操作部１５に対する利用者の指示操作を受け付ける。操作受付部１９が受け付けた利用者の操作を示す情報は表示制御部２０または設定状態変更部２１へ出力される。
【００３０】
表示制御部２０は、操作受付部１９が受け付ける操作に応じて表示部１４に画像を表示させる。例えば、表示制御部２０は、設定記憶部１７に記憶されている設定情報に基づいて、画像を処理するための複数の設定それぞれの設定状態の一覧を示す設定一覧画面１００を表示部１４に表示させる。表示制御部２０は、設定情報に含まれるすべての設定項目に対する設定状態を、表示部１４の表示範囲２００に対応する大きさの１つの画像に表した設定一覧画面１００を表示させてもよいし、表示部１４の表示範囲２００より大きい画像である設定一覧画面１００の所与の範囲を表示部１４に表示させてもよい。
【００３１】
図５及び図６は、表示部１４に表示される設定一覧画面１００の一例を示す図である。図５に示すように、設定一覧画面１００は、図３に示した設定情報に基づく設定項目画像１０１が順に並べられている。設定項目画像１０１は、設定項目とその設定項目に対する設定状態（設定情報において設定フラグ“１”が付与されている設定候補を示している）とが示されている。設定一覧画面１００は、表示部１４に表示される範囲（表示範囲２００）を上下（Ｙ方向）に貫くように配置されており、利用者の操作に応じて表示範囲２００に対して設定一覧画面１００が仮想的に上下に移動するようになっている。例えば、図５に示す設定項目画像１０１が表示された状態で（４番目から１０番目までの設定項目画像１０１が表示されている）、利用者が指先等を表示部１４のパネル面に触れたまま下方向にスライドさせると、設定一覧画面１００は表示範囲２００に対して相対的に下方向にスライド量に応じた量で移動し、これにより、図６に示すように、表示部１４には１番目から６番目までの設定項目画像が表示される。また、利用者が指先等を表示部１４のパネル面に触れたまま上方向にスライドさせると、設定一覧画面１００は表示範囲２００に対して相対的に上方向にスライド量に応じた量で移動する。これにより、設定一覧画面１００の所与の範囲が表示範囲２００内に位置し、それらの設定項目画像１０１が表示部１４に表示される。なお、設定一覧画面１００は、表示部１４に表示される範囲（表示範囲２００）を左右（Ｘ方向）に貫くように配置されていてもよい。また、表示範囲２００にスライドバーが表示され、利用者がスライドバーを上下にスライドさせると、設定一覧画面１００は表示範囲２００に対して相対的に上下方向にスライド量に応じた量で移動することとしてもよい。これらの利用者の操作の情報は操作受付部１９が受け付けて表示制御部２０に出力し、表示制御部２０が利用者の操作の情報に基づいて表示部１４に表示される画像を更新する。
【００３２】
設定状態変更部２１は、操作受付部１９が受け付ける操作に応じて設定記憶部１７に記憶されている設定情報を変更する。具体的には、設定情報において、設定項目に対して設定フラグ“１”を付与する設定候補が変更されることで、設定状態が変更される。本実施形態では、設定状態変更部２１は、設定一覧画面１００において利用者による設定の選択指示を受け付けて設定情報の変更を行うこととする。
【００３３】
図７及び図８は、設定状態変更部２１による設定情報の変更処理の一例を示す図である。図７に示す設定一覧画面１００において、設定の変更対象となる設定項目画像１０１が利用者によるクリック操作等の操作指示により選択されると、設定可能な複数の設定候補から設定を選択させるための選択画面としてポップアップメニューが表示される。例えば、図７に例示するように、設定項目“Paper Supply”の設定項目画像１０１が選択されると、“Auto”、“Tray1”、“Tray2”の３つの設定候補を示すポップアップ画像１５０が表示される。ここで、表示される設定候補は、設定情報記憶部に記憶されている設定情報の“Paper Supply”に関連付けられている設定候補と同一である。このとき、現在設定されている（設定情報において設定フラグ“１”が付与されている）設定候補は、設定済みであることを示すために色表示、太字表示等の強調表示がされることとする。図７においては、現在設定されている設定候補に“●”、それ以外を“○”で示している。そして、図８に示すように、利用者によるクリック操作等により複数の設定候補のうちいずれか１つが選択されると、操作受付部１９が選択指示を受け付けて設定状態変更部２１に出力する。設定状態変更部２１は設定情報の設定項目のうち変更対象となる設定項目（ここでは、“Paper Supply”）について、選択された設定候補（ここでは、“Tray1”が選択されることとする）の設定フラグを“１”とし、それまで設定フラグが“１”となっていた設定候補“Auto”の設定フラグを“０”とする。
【００３４】
なお、選択画面は、ポップアップメニューに限られず、設定一覧画面１００と切り替えて表示画面の全面に表示されるものであってもよい。この場合は、設定の変更対象となる設定項目画像１０１が利用者により選択されると、設定一覧画面１００に切り替わって選択画面が表示画面に表示されることとしてよい。そして、選択画面上において利用者による設定の変更が終了すると、表示画面に設定一覧画面１００が表示されることとしてよい。また、画像処理装置の操作部１５に備えられる設定を選択するための操作ボタンを利用者が操作することで、設定の選択指示を受け付けることとしてもよい。
【００３５】
本実施形態では、設定状態変更部２１による設定情報の変更後、表示制御部２０が変更後の設定情報に基づく設定一覧画面１００を表示部１４に表示させる。ここで、設定記憶部に記憶されている変更後の設定情報と、初期設定記憶部に記憶されている初期設定情報とが一致しない場合は、表示制御部２０は、設定一覧画面１００とともに、変更された設定状態を変更前の設定状態に戻すための指示を利用者から受け付ける項目であるリセットボタンを表示部１４に表示させる。ここで、リセットボタンが押されることにより変更された設定状態は、初期設定記憶部１８に記憶されている初期設定情報に示される設定状態に戻る。なお、初期設定情報は、任意に変更可能とし、所定のタイミングにおける設定情報を初期設定情報として記憶してもよい。例えば、ある時点で設定状態変更部２１が変更した設定情報を初期設定情報として記憶すれば、リセットボタンにより当該時点における設定情報にリセットすることができる。また、設定記憶部に記憶されている変更後の設定情報と、初期設定記憶部に記憶されている初期設定情報とが一致する場合は、リセットボタンは表示されない。
【００３６】
図９は、表示部１４に設定一覧画面１００とともに表示されるリセットボタンの一例を示す図である。図９は、図８において設定項目“Paper Supply”の設定状態が初期設定“Auto”から“Tray1”に変更された後の表示部１４を示している。図９に示すように、設定状態が初期設定から変更された設定項目は、設定状態が初期設定から変更されたことを示すための色表示、太字表示等の強調表示がされることとする（図９においては、網掛け表示）。そして、リセットボタンは表示範囲２００内のリセットボタン領域３００（図９においては、表示範囲２００における最下部の領域）に表示される。ここではリセットボタン領域３００は矩形状の領域としているが、この例に限定されずいかなる形状であってもよい。リセットボタンは、表示部１４に表示されていた設定一覧画面１００の上に重なるように表示され、設定一覧画面１００のうちリセットボタン領域３００と重なる領域は、リセットボタン領域３００により隠される。そして、設定一覧画面１００はリセットボタン領域３００の上部にあたる一覧画面領域４００に表示されることとなる。リセットボタンが表示されている状態でも利用者の操作に応じて設定一覧画面１００を移動させることは可能となっており、利用者の操作に応じて一覧画面領域４００に対して設定一覧画面１００が仮想的に上下に移動するようになる。このとき、利用者の操作に応じて設定一覧画面１００が仮想的に上下に移動する際も、リセットボタンは常にリセットボタン領域３００に表示されている。これにより、利用者はリセット操作が必要となったときに容易にリセット操作を行うことができる。
【００３７】
図１０及び図１１は、リセットボタンが選択されるときの設定一覧画面１００を示す図である。図１０に示すように、利用者がリセットボタンを選択すると（例えば、タップ操作）、操作受付部１９がリセット指示を受け付け、設定状態変更部２１へ出力する。設定状態変更部２１が、設定情報記憶部に記憶されている設定情報を初期設定記憶部１８に記憶されている初期設定情報と一致するように設定状態を変更すると、表示制御部２０が設定情報記憶部に記憶されている設定情報を取得し、図１１に示すような初期設定を反映した設定一覧画面１００を表示部１４に表示する。図１１は、リセットボタンが選択された後の設定一覧画面１００を示す図である。図１１に示すように、図１０において設定状態が変更されていた設定項目“Paper Supply”の設定状態は初期設定の“Auto”に変更されて表示されている。そして、表示制御部２０が初期設定の設定一覧画面１００を表示したことで、リセットボタンは表示部１４から消去される。なお、図１０の設定一覧画面１００において、設定状態が変更されている設定項目（ここでは、“Paper Supply”）が選択されて、設定状態を初期設定（ここでは“Auto”）に選択されると、操作受付部１９が選択指示を受け付けて設定状態変更部に出力する。設定状態変更部２１が、設定情報記憶部に記憶されている設定情報を初期設定記憶部１８に記憶されている初期設定情報と一致するように設定状態を変更すると、表示制御部２０が設定情報記憶部に記憶されている設定情報を取得し、図１１に示すような初期設定を反映した設定一覧画面１００を表示部１４に表示することとしてもよい。つまり、表示部１４にリセットボタンが表示されている状態で、設定状態変更部２１が設定情報を初期設定の設定状態に変更すると、表示制御部２０はリセットボタンを消去して設定一覧画面１００を表示する。
【００３８】
なお、設定一覧画面１００は図５に示す例に限定されず、複数の設定それぞれの設定状態を確認できる画面であればどのような形式であってもよい。例えば、設定一覧画面１００は、それぞれが少なくとも１つの設定項目画像１０１を含む複数頁に分かれており、頁毎に表示部１４に表示されるようになっていてもよい。この場合も、設定の設定状態が変更されてリセットボタン領域３００にリセットボタンが表示されると、頁が変わってもリセットボタンは常にリセットボタン領域３００に表示されることとしてよい。
【００３９】
以下、第１実施形態に係る画像処理装置１０が実行する画像処理時の設定画面表示処理の一例を図１２のフロー図を用いて説明する。
【００４０】
まず、画像処理装置が画像処理実行要求を受け付ける（Ｓ１）と、表示制御部２０が、設定情報記憶部に記憶されている設定情報を取得し（Ｓ２）、取得した設定情報を反映した設定一覧画面１００を表示部１４に表示する（Ｓ３）。そして、処理Ｓ２にて取得された設定情報と、記憶部１２に記憶されている設定情報の初期設定である初期設定情報と、が一致するか否かが判断される（Ｓ４）。
【００４１】
処理Ｓ４の判断の結果、処理Ｓ１にて取得された設定情報と初期設定情報とが一致しないと判断された場合は（Ｓ４：Ｎ）、表示制御部２０が、処理Ｓ３において表示部１４に表示した設定一覧画面１００とともに、リセットボタンを表示部１４に表示する（Ｓ５）。
【００４２】
ここで、画像処理実行要求後に最初に取得する設定情報が、初期設定情報と一致しない場合は、以前に実行された画像処理の際に設定した設定情報が維持されていることとなる。このとき、表示部１４にリセットボタンが表示されることで、利用者は設定の設定状態が初期設定でないことを把握することができる。
【００４３】
そして、表示部１４に表示されたリセットボタンが利用者により選択されることで、操作受付部１９がリセット指示を受け付けると（Ｓ６：Ｙ）、設定状態変更部２１が、設定情報記憶部に記憶されている設定情報を初期設定記憶部１８に記憶されている初期設定情報と一致するように設定状態を変更する（Ｓ７）。そして、処理Ｓ２以降の処理を繰り返し実行する。
【００４４】
また、処理Ｓ４の判断の結果、処理Ｓ２にて取得された設定情報と初期設定情報とが一致すると判断された場合は（Ｓ４：Ｙ）、表示部１４に表示されている設定一覧画面１００が示す設定状態は初期設定となっている。
【００４５】
そして、設定が変更されると（Ｓ８：Ｙ）処理Ｓ２以降の処理を繰り返し実行し、設定が変更されずに（Ｓ８：Ｎ）画像処理が実行されると（Ｓ９）、設定一覧画面１００の表示処理は終了する。
【００４６】
また、処理Ｓ６において、操作受付部１９がリセット指示を受け付けない場合は（Ｓ６：Ｎ）、処理Ｓ８以降の処理を実行する。
【００４７】
［第２実施形態］
第２実施形態においては、設定状態が初期設定から変更された設定項目画像１０１の表示範囲２００内における位置に応じて、表示制御部２０による設定一覧画面１００の表示制御を異ならせる。本実施形態では、設定一覧画面１００においてリセットボタン領域３００と重なる領域に表示されている（図９においては、表示範囲２００の最下部に表示されている）設定項目画像１０１の設定状態が初期設定から変更される場合には、表示制御部２０による表示制御を異ならせる。第１実施形態においては、リセットボタン領域３００と重なる領域に表示されている設定項目画像１０１の設定状態が初期設定から変更されると、リセットボタン領域３００にリセットボタンが表示されるため、設定状態が初期設定から変更された設定項目画像１０１はリセットボタン領域３００に隠れる。しかし、変更した設定状態を確認したい等の利用者の都合上、設定状態が初期設定から変更された設定項目画像１０１は視認できるように表示範囲２００内に表示されていることが望ましい。そこで、リセットボタン領域３００と重なる位置に表示されている設定項目画像１０１の設定状態が初期設定から変更された場合は、表示制御部２０は、リセットボタン領域３００にリセットボタンを表示するとともに、設定状態が初期設定から変更された設定項目画像１０１が一覧画面領域４００内に表示されるように補正することとしてもよい。具体的には、例えば、表示制御部２０が、設定状態が初期設定から変更された設定項目画像１０１を一覧画面領域４００の最下部（リセットボタン領域３００の上部）に表示されるよう、一覧画面領域４００に対して設定一覧画面１００を仮想的に移動させて表示する。
【００４８】
以下、第２実施形態に係る画像処理装置１０が実行する画像処理時の設定画面表示処理の一例を図１３のフロー図を用いて説明する。図１３に示すフロー図の処理Ｓ１１〜処理Ｓ１９の処理は、処理Ｓ１５のリセットボタン表示処理以外は、図１２に示すフロー図の処理Ｓ１〜処理Ｓ９の処理と同一であるため、重複する説明はここでは省略する。
【００４９】
処理Ｓ１５における、表示制御部２０によるリセットボタン表示処理の一例について、図１４のフロー図を参照して説明する。
【００５０】
［リセットボタン表示処理１］
図１４に示すように、まず、設定情報記憶部に記憶されている設定情報と、初期設定記憶部に記憶されている初期設定情報とが一致しない場合に、初期設定と一致しない設定項目に対応する設定項目画像１０１が表示されている領域（表示部１４における表示位置）を取得する（Ｓ２１）。
【００５１】
そして、処理Ｓ２１において取得した表示位置がリセットボタン領域３００に含まれるか否かが判断される（Ｓ２２）。
【００５２】
図１５及び図１６は、第２実施形態におけるリセットボタン表示処理が実行されるときの表示部１４の一例を示す図である。ここで、初期設定と一致しない設定項目に対応する設定項目画像１０１を“Color Balance”とする。ユーザが設定項目画像１０１“Color Balance”を選択して、初期値“Auto”から“off”に変更することとする。処理Ｓ２１において取得した表示位置は、図１５に示す表示範囲２００の左下点Ｏを基準点として仮想的にＸ軸、Ｙ軸を設定したときの、設定項目画像１０１の外周のうちＹ軸方向の座標値が最小となる点とする。そして、リセットボタン領域３００の外周のうちＹ軸方向の座標値が最大となる点（リセットボタン表示位置とする）と、処理Ｓ２１において取得した表示位置との比較により、処理Ｓ２１において取得した表示位置がリセットボタン領域３００に含まれるか否かが判断される。具体的に、表示位置は、図１５に示す設定項目画像１０１“Color Balance”の左下点Ａ（または、右下点）とし、リセットボタン表示位置は、図１５に示すリセットボタン領域３００の左上点Ｂ（または右上点）としてもよい。そして、表示位置のＹ座標が、リセットボタン表示位置のＹ座標より小さい値のときに表示位置がリセットボタン領域３００に含まれると判断され、表示位置のＹ座標が、リセットボタン表示位置のＹ座標より大きい値のときは表示位置がリセットボタン領域３００に含まれないと判断される。また、利用者の設定項目画像１０１“Color Balance”を選択する操作（クリック、タップ操作）を検出した点を表示位置としてもよい。なお、リセットボタン領域３００が表示範囲２００の最上部に位置する場合に処理Ｓ２１において取得する表示位置は、設定項目画像１０１の外周のうちＹ軸方向の座標値が最大となる点とし、リセットボタン表示位置は、リセットボタン領域３００の外周のうちＹ軸方向の座標値が最小となる点とする。そして、表示位置のＹ座標が、リセットボタン表示位置のＹ座標より大きい値のときに表示位置がリセットボタン領域３００に含まれると判断され、表示位置のＹ座標が、リセットボタン表示位置のＹ座標より小さい値のときは表示位置がリセットボタン領域３００に含まれないと判断される。
【００５３】
処理Ｓ２２の判断の結果、処理Ｓ２１において取得した表示位置がリセットボタン領域３００に含まれないと判断された場合は（Ｓ２２：Ｎ）、表示制御部２０はリセットボタン領域３００にリセットボタンを表示する（Ｓ２３）。
【００５４】
また、処理Ｓ２２の判断の結果、処理Ｓ２１において取得した表示位置がリセットボタン領域３００に含まれると判断された場合は（Ｓ２２：Ｙ）、表示制御部２０が、リセットボタン領域３００にリセットボタンを表示する際に、設定一覧画面１００の表示を補正する（Ｓ２４）。ここで、表示制御部２０は、初期設定と一致しない設定項目に対応する設定項目画像１０１の表示位置が一覧画面領域４００に含まれるように、設定一覧画面１００を移動させる。具体的に、図１５における初期設定と一致しない設定項目に対応する設定項目画像１０１“Color balance”の設定状態が初期値“Auto”から“Off”に変更された場合は、表示制御部２０は、図１６に示すように、リセットボタン領域３００にリセットボタンを表示するとともに、“Color balance”の設定項目画像１０１の下端がリセットボタン領域３００の上端と重なるよう、設定一覧画面１００を上方向に移動させる。このとき、表示制御部２０は、表示位置のＹ座標とリセットボタン表示位置のＹ座標との差分だけ移動させてもよい。
【００５５】
そして、処理Ｓ２３または処理Ｓ２４において表示制御部２０がリセットボタンを表示部１４に表示するとリターンする。
【００５６】
［第３実施形態］
第３実施形態においては、設定状態が初期設定から変更された設定項目画像１０１の表示部１４における位置に応じて、表示制御部２０によるリセットボタンの表示制御を異ならせる。本実施形態では、設定状態が初期値から変更された際に、設定状態が初期設定から変更された設定項目画像１０１が表示範囲２００に表示されていない間に、リセットボタンを表示することとしてもよい。また、設定状態が初期値から変更された後に、利用者の操作に応じて表示範囲２００に対して設定一覧画面１００が移動することにより、設定状態が初期設定から変更された設定項目画像１０１が表示範囲２００に表示されなくなると、リセットボタンが表示されることとしてもよい。これは、設定状態が初期設定から変更された設定項目画像１０１が表示範囲２００に表示されている間は、当該設定項目画像１０１から再度、設定状態の変更が可能であるため、リセットボタンを表示させて設定一覧画面１００の表示領域を狭める必要はないという考えに基づくものである。そして、設定状態が初期値から変更された設定項目画像１０１が、表示範囲２００に表示されていない間に、リセットボタンを表示することにより、変更対象の設定項目画像１０１を移動させなくてもリセット操作を行うことができる。
【００５７】
また、表示制御部２０は、利用者の指示に応じてリセットボタンを非表示に切り替えることができてもよい。ここでは、設定状態が初期設定から変更され、表示範囲２００にリセットボタンが表示された後に利用者の指示に応じてリセットボタンが消去されることとする。具体的には、利用者がリセットボタン領域３００を表示範囲２００の外側に向けてスワイプ操作をすることによりリセットボタンが消去されることとしてもよい。または、リセットボタン領域３００にリセットボタンとともに消去ボタンが表示され、利用者が消去ボタンを指示することによりリセットボタンが消去されることとしてもよい。
【００５８】
以下、第３実施形態に係る画像処理装置１０が実行する画像処理時の設定画面表示処理の一例について説明する。第３実施形態における設定画面表示処理は、図１３に示すフロー図の処理Ｓ１４のリセットボタン表示処理の内容が異なるだけである。そこで、第３実施形態におけるリセットボタン表示処理の一例について図１７のフロー図を参照して説明する。
【００５９】
［リセットボタン表示処理２］
図１７に示すように、まず、設定情報記憶部に記憶されている設定情報と、初期設定記憶部に記憶されている初期設定情報とが一致しない場合に、初期設定と一致しない設定項目に対応する設定項目画像１０１の表示部１４における表示位置を取得する（Ｓ３１）。
【００６０】
そして、処理Ｓ３１において取得した表示位置が表示範囲２００に含まれるか否かが判断される（Ｓ３２）。
【００６１】
処理Ｓ３２の判断の結果、処理Ｓ３１において取得した表示位置が表示範囲２００に含まれないと判断された場合は（Ｓ３２：Ｎ）、表示制御部２０はリセットボタン領域３００にリセットボタンを表示する（Ｓ３３）。そして、処理Ｓ３２の判断の結果、処理Ｓ３１において取得した表示位置が表示範囲２００に含まれると判断された場合は（Ｓ３４：Ｙ）、表示制御部２０はリセットボタンを表示しない。
【００６２】
そして、操作受付部１９が設定一覧画面１００に対するスクロール操作を受け付けると（Ｓ３５：Ｙ）、処理Ｓ３１以降の処理を実行し、操作受付部１９が設定一覧画面１００に対するスクロール操作を受け付けない場合は（Ｓ３５：Ｎ）、リターンする。
【００６３】
図１８及び図１９は、第３実施形態におけるリセットボタン表示処理が実行されるときの表示部１４の一例を示す図である。図１８に示すように、設定状態が初期設定から変更された設定項目画像１０１（ここでは、設定項目画像“Paper Supply”）の表示部１４における表示位置（例えば、左下点Ｃ）が表示範囲２００に含まれる場合は、表示範囲２００にリセットボタンは表示されない。具体的には、左下点ＣのＹ座標が、表示範囲２００の左上点ＤのＹ座標より小さい場合は、設定状態が初期設定から変更された設定項目画像１０１は表示範囲２００に含まれると判断される。図１８に示す設定一覧画面１００が上方向にスクロールされると、図１９に示すように、設定項目画像“Paper Supply”の表示部１４における表示位置である左下点Ｃは表示範囲２００の外に移動する。設定項目画像“Paper Supply”の表示部１４における表示位置である左下点Ｃが表示範囲２００内に含まれなくなると、リセットボタンが表示される。具体的には、左下点ＣのＹ座標が、表示範囲２００の左上点ＤのＹ座標より大きい場合に、設定状態が初期設定から変更された設定項目画像１０１は表示範囲２００に含まれないと判断され、表示範囲２００にリセットボタンが表示される。
【００６４】
なお、本発明は上述の実施形態に限定されるものではない。
【００６５】
例えば、リセットボタン領域３００の位置は、表示範囲２００の最下部に限定されるものではなく、表示範囲２００内であればいずれの位置に表示されてもよい。例えば、表示範囲２００の最上部、最両端部、であってもよい。また、リセットボタン領域３００は、表示範囲２００内の任意の位置に移動可能な領域として表示されていてもよい。また、リセットボタン領域３００の位置は、利用者による設定状態の変更指示の対象となる設定項目画像１０１の位置に応じて決定することとしてもよい。例えば、利用者が設定状態を変更する対象となる設定項目画像１０１が、表示範囲２００における設定一覧画面１００の移動方向に対して半分より上か下かによりリセットボタンを表示する位置を異ならせることとしてもよい。具体的には、利用者が設定状態を初期設定から変更する対象となる設定項目画像１０１が、表示範囲２００における設定一覧画面１００の移動方向に対して半分より上に位置する場合は、リセットボタンは表示範囲２００における設定一覧画面１００の移動方向に対して最上部に表示されてよい。そして、利用者が設定状態を初期設定から変更する対象となる設定項目画像１０１が、表示範囲２００における設定一覧画面１００の移動方向に対して半分より下に位置する場合は、リセットボタンは表示範囲２００における設定一覧画面１００の移動方向に対して最下部に表示されてよい。これにより、設定状態が初期設定から変更された設定項目画像１０１の近くにリセットボタンが表示される。なお、利用者が設定状態を変更する対象となる設定項目画像１０１が、表示範囲２００における設定一覧画面１００の移動方向に対して半分より上に位置する場合は、リセットボタンが表示範囲２００における設定一覧画面１００の移動方向に対して最下部に表示され、利用者が設定状態を初期設定から変更する対象となる設定項目画像１０１が、表示範囲２００における設定一覧画面１００の移動方向に対して半分より下に位置する場合は、リセットボタンが表示範囲２００における設定一覧画面１００の移動方向に対して最上部に表示されることとしてもよい。これにより、設定状態が初期設定から変更された設定項目画像１０１に重なることなくリセットボタンを表示することができる。
【００６６】
なお、表示範囲２００における利用者による設定項目画像１０１を選択する操作（クリック、タップ操作）を検出した位置に応じて、リセットボタン領域３００の位置を決定することとしてもよい。この場合も上述した方法と同様に、利用者による選択操作を検出した位置が、表示範囲２００における設定一覧画面１００の移動方向に対して半分より上か下かによりにリセットボタンを表示する位置を異ならせる。
【００６７】
また、上記実施形態では、表示部１４において利用者からの操作指示を受け付ける装置としてタッチパネルを例に上げたが、利用者からの操作を指示できるいわゆるポインティングデバイスであればよく、例えば、表示範囲２００の任意の位置を指示可能なマウス、表示画面を持たない操作面上の任意の位置を指示するタブレットであってよい。また、ポインティングデバイスではなく、例えば十字キー、カーソルキー等のボタン操作により利用者からの操作指示を受け付けてもよい。
【００６８】
また、上記実施形態では、画像処理装置１０が実行する画像処理時の設定画面表示処理について説明したが、適用可能な装置はこの例に限定されない。例えば、パーソナルコンピュータ、タブレット、携帯端末といった各種情報処理装置において、何らかの複数の設定項目の一覧画面を表示して、設定項目の設定状態を変更するような場合にも適用可能である。
【符号の説明】
【００６９】
１０  画像処理装置、１１  制御部、１２  記憶部、１３  通信部、１４  表示部、１５  操作部、１７  設定記憶部、１８  初期設定記憶部、１９  操作受付部、２０  表示制御部、２１  設定状態変更部、１００  設定一覧画面、１０１  設定項目画像、１５０  ポップアップ画像、２００  表示範囲、３００  リセットボタン領域、４００  一覧画面領域。
【図１】
0006398520.tif 000002
【図２】
0006398520.tif 000003
【図３】
0006398520.tif 000004
【図４】
0006398520.tif 000005
【図５】
0006398520.tif 000006
【図６】
0006398520.tif 000007
【図７】
0006398520.tif 000008
【図８】
0006398520.tif 000009
【図９】
0006398520.tif 000010
【図１０】
0006398520.tif 000011
【図１１】
0006398520.tif 000012
【図１２】
0006398520.tif 000013
【図１３】
0006398520.tif 000014
【図１４】
0006398520.tif 000015
【図１５】
0006398520.tif 000016
【図１６】
0006398520.tif 000017
【図１７】
0006398520.tif 000018
【図１８】
0006398520.tif 000019
【図１９】
0006398520.tif 000020